(57)【要約】【課題】絶縁フィルムの溶融を抑制できる蓄電装置を提供すること。【解決手段】二次電池１０の絶縁フィルム１８は、電極組立体１２の本体部１３とケース部材１４とを絶縁する有底四角筒状のフィルム本体部１９と、フィルム本体部１９の縁部１９ｄから蓋部材１５に向けて突出して両極性のタブ群２７とケース部材１４とを絶縁する基端側タブ絶縁部２０１及び先端側タブ絶縁部を有する。また、絶縁フィルム１８は、蓋部材１５の角部に対向した部位に位置する非タブ絶縁部２０３を有する。非タブ絶縁部２０３は、基端側タブ絶縁部２０１及び先端側タブ絶縁部の突出端２０１ａよりも電極組立体１２寄りに位置している。【選択図】図４
2019121433.tif 000002
【特許請求の範囲】
【請求項１】
正極と負極の電極が絶縁された状態で積層された本体部、及び前記本体部から突出したタブが同じ極性同士で積層されたタブ群を有する電極組立体と、
前記電極組立体を収容する有底四角筒状のケース部材、前記ケース部材の開口部を閉塞する四角板状の蓋部材、及び前記ケース部材と前記蓋部材との溶接部を有する四角箱状のケースと、
同じ極性の前記タブ群と接合された各極性の導電部材と、
前記電極組立体と前記ケース部材とを絶縁する絶縁フィルムと、
を備え、前記本体部のタブ側端面と前記蓋部材の内面との間に前記タブ群及び前記導電部材が介在する蓄電装置であって、
前記絶縁フィルムは、前記蓋部材の内面に対向する縁部が前記タブ側端面よりも前記蓋部材寄りに位置する有底四角筒状のフィルム本体部と、
前記フィルム本体部における前記蓋部材に対向した縁部から前記蓋部材に向けて突出して各極性の前記タブ群と前記ケース部材とを絶縁するタブ絶縁部と、
少なくとも前記蓋部材の角部に対向した部位に位置する非タブ絶縁部と、を有し、
前記タブ絶縁部の前記縁部からの突出端が前記蓋部材の内面よりも前記電極組立体寄りで、かつ前記導電部材における前記電極組立体寄りの面よりも前記蓋部材寄りに位置し、
前記非タブ絶縁部は、前記タブ絶縁部の突出端よりも前記電極組立体寄りに位置していることを特徴とする蓄電装置。
【請求項２】
前記非タブ絶縁部は、前記フィルム本体部の縁部上にある請求項１に記載の蓄電装置。
【請求項３】
前記タブ側端面に沿い、かつ前記電極の積層方向に直交する方向を前記電極組立体の幅方向とすると、前記正極のタブ群と前記負極のタブ群は、前記幅方向に離れて配設され、前記タブ絶縁部は、各極性のタブ群に応じて前記幅方向に離れて前記縁部から突設され、前記絶縁フィルムは、前記幅方向に隣り合う前記タブ絶縁部同士の間に非タブ絶縁部を有する請求項１又は請求項２に記載の蓄電装置。
【請求項４】
前記タブ群における先端部と前記ケース部材とを絶縁する絶縁カバーを備え、前記タブ絶縁部は、前記タブ群における前記タブ側端面寄りの基端部と前記ケース部材とを絶縁する請求項１〜請求項３のうちいずれか一項に記載の蓄電装置。
【請求項５】
前記絶縁カバーと前記ケース部材との間に前記タブ絶縁部が介在し、前記タブ絶縁部の突出端は、前記絶縁カバーにおける前記電極組立体寄りの端面より前記蓋部材寄りで、かつ前記導電部材における前記電極組立体寄りの面より前記蓋部材寄りである請求項４に記載の蓄電装置。
【発明の詳細な説明】
【技術分野】
【０００１】
本発明は、電極組立体とケース部材とを絶縁する絶縁フィルムを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材をケース内に備える。また、二次電池は、電極端子と電極組立体のタブ群とを接続する導電部材をケース内に備えている。
【０００４】
このような二次電池は、電極組立体を覆う絶縁フィルムをケース内に備える。例えば、特許文献１の二次電池が備える絶縁フィルムは、電極組立体において、電極が積層された部分全体を覆う。また、絶縁フィルムは、両極性のタブ群、及び電極端子において絶縁部材で覆われていない部分を覆う延長部を備え、延長部によってタブ群及び電極端子の一部がケース部材から絶縁されている。
【先行技術文献】
【特許文献】
【０００５】
【特許文献１】特開２０１５−１２５９０４号公報
【発明の概要】
【発明が解決しようとする課題】
【０００６】
ところで、特許文献１の二次電池において、蓋部材とケース部材とを溶接する際、蓋部材の角部は、蓋部材の他の縁部よりも溶接時の熱量が多くなり、絶縁フィルムにおいて蓋部材の角部に対向した部位が溶融するおそれがある。
【０００７】
本発明の目的は、絶縁フィルムの溶融を抑制できる蓄電装置を提供することにある。
【課題を解決するための手段】
【０００８】
上記問題点を解決するための蓄電装置は、正極と負極の電極が絶縁された状態で積層された本体部、及び前記本体部から突出したタブが同じ極性同士で積層されたタブ群を有する電極組立体と、前記電極組立体を収容する有底四角筒状のケース部材、前記ケース部材の開口部を閉塞する四角板状の蓋部材、及び前記ケース部材と前記蓋部材との溶接部を有する四角箱状のケースと、同じ極性の前記タブ群と接合された各極性の導電部材と、前記電極組立体と前記ケース部材とを絶縁する絶縁フィルムと、を備え、前記本体部のタブ側端面と前記蓋部材の内面との間に前記タブ群及び前記導電部材が介在する蓄電装置であって、前記絶縁フィルムは、前記蓋部材の内面に対向する縁部が前記タブ側端面よりも前記蓋部材寄りに位置する有底四角筒状のフィルム本体部と、前記フィルム本体部における前記蓋部材に対向した縁部から前記蓋部材に向けて突出して各極性の前記タブ群と前記ケース部材とを絶縁するタブ絶縁部と、少なくとも前記蓋部材の角部に対向した部位に位置す
る非タブ絶縁部と、を有し、前記タブ絶縁部の前記縁部からの突出端が前記蓋部材の内面よりも前記電極組立体寄りで、かつ前記導電部材における前記電極組立体寄りの面よりも前記蓋部材寄りに位置し、前記非タブ絶縁部は、前記タブ絶縁部の突出端よりも前記電極組立体寄りに位置していることを要旨とする。
【０００９】
これによれば、ケース部材内に、絶縁フィルムで覆われた電極組立体を収容した状態で、ケース部材と蓋部材の溶接部を形成する際、蓋部材の二辺に沿った縁部が交わる角部では、蓋部材の他の縁部よりも溶接時の熱量が多くなる。しかし、蓋部材の角部に対向した非タブ絶縁部をタブ絶縁部よりも電極組立体寄りに位置させ、蓋部材から遠ざけることで、溶接時に非タブ絶縁部に及ぶ熱影響を抑えることができる。その一方で、タブ絶縁部によりタブ群をケース部材から絶縁できる。
【００１０】
蓄電装置について、前記非タブ絶縁部は、前記フィルム本体部の縁部上にあってもよい。
【００１１】
これによれば、例えば、非タブ絶縁部を、フィルム本体部の縁部から蓋部材に向けて突出させた場合と比べると、溶接時に非タブ絶縁部に及ぶ熱影響を小さくできる。
【００１２】
また、蓄電装置について、前記タブ側端面に沿い、かつ前記電極の積層方向に直交する方向を前記電極組立体の幅方向とすると、前記正極のタブ群と前記負極のタブ群は、前記幅方向に離れて配設され、前記タブ絶縁部は、各極性のタブ群に応じて前記幅方向に離れて前記縁部から突設され、前記絶縁フィルムは、前記幅方向に隣り合う前記タブ絶縁部同士の間に非タブ絶縁部を有していてもよい。
【００１３】
これによれば、蓋部材には、タブ側端面における両極性のタブ群に挟まれた位置に対向して、ケース内の圧力をケース外に開放する圧力開放弁や、電解液をケース内に注入するための注液口が設けられる。蓋部材における圧力開放弁や注液口が設けられた部位には、熱引き治具が配置できないため、溶接時の熱が逃げにくく、温度が上昇しやすい。蓋部材における溶接時の熱が逃げにくい部位、すなわち両極性のタブ群に挟まれた部位に対向して、絶縁フィルムの非タブ絶縁部を対向させているため、溶接時に絶縁フィルムに及ぶ熱影響を抑え、絶縁フィルムの溶融を抑制できる。
【００１４】
また、蓄電装置について、前記タブ群における先端部と前記ケース部材とを絶縁する絶縁カバーを備え、前記タブ絶縁部は、前記タブ群における前記タブ側端面寄りの基端部と前記ケース部材とを絶縁していてもよい。
【００１５】
これによれば、タブ群の先端部を絶縁カバーで覆うことができ、タブ群の先端部及び基端部とケース部材とを絶縁できる。
【００１６】
また、蓄電装置について、前記絶縁カバーと前記ケース部材との間に前記タブ絶縁部が介在し、前記タブ絶縁部の突出端は、前記絶縁カバーにおける前記電極組立体寄りの端面より前記蓋部材寄りで、かつ前記導電部材における前記電極組立体寄りの面より前記蓋部材寄りであってもよい。
【００１７】
これによれば、絶縁カバーとタブ絶縁部とで、タブ群とケース部材とを絶縁できる。
【発明の効果】
【００１８】
本発明によれば、絶縁フィルムの溶融を抑制できる。
【図面の簡単な説明】
【００１９】
【図１】実施形態の二次電池を示す分解斜視図。
【図２】実施形態の二次電池を示す部分側断面図。
【図３】実施形態の絶縁フィルムを示す部分斜視図。
【図４】実施形態の二次電池を示す部分正面図。
【図５】絶縁フィルムの別例を示す部分正面図。
【図６】絶縁フィルムの別例を示す部分正面図。
【発明を実施するための形態】
【００２０】
以下、蓄電装置を二次電池に具体化した一実施形態を図１〜図４にしたがって説明する。
【００２１】
図１及び図２に示すように、蓄電装置としての二次電池１０はケース１１を備え、ケース１１には電極組立体１２が収容されている。四角箱状のケース１１は、電極組立体１２を収容する有底四角筒状のケース部材１４と、このケース部材１４の開口部１４ａを閉塞する四角板状の蓋部材１５とを有している。なお、本実施形態の二次電池１０はリチウムイオン電池である。二次電池１０は、蓋部材１５に圧力開放弁１５ａを備える。圧力開放弁１５ａは、ケース１１内の圧力が予め規定された圧力に達すると開裂して、ケース１１内の圧力をケース外に開放する。圧力開放弁１５ａは、蓋部材１５の長手方向の中央部に配置されている。圧力開放弁１５ａは、蓋部材１５の外面よりも凹んだ凹部の底にある。蓋部材１５の周縁とケース部材１４における開口部１４ａの周縁とを溶接により接合した溶接部Ｙを備える。
【００２２】
電極組立体１２は、直方体状の本体部１３と、本体部１３の一端面に配設された正極及び負極のタブ群２７を備える。電極組立体１２の本体部１３は直方体状である。本体部１３は、シート状の複数の正極電極２１とシート状の複数の負極電極２２とが互いに絶縁された状態で積層されて構成されている。なお、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２の間にこれらを絶縁するセパレータ２３を介在させて層状とした積層型である。正極電極２１と負極電極２２が積層された方向を電極組立体１２の積層方向とする。
【００２３】
正極電極２１は、正極電極２１の第１縁２１ａの一部から突出した形状のタブ２５を有する。負極電極２２は、負極電極２２の第１縁２２ａの一部から突出した形状のタブ２６を有する。本体部１３のタブ側端面１３ａは、正極電極２１の第１縁２１ａ、負極電極２２の第１縁２２ａ、及びセパレータ２３の第１縁を寄せ集めて形成されている。タブ側端面１３ａに沿い、かつ積層方向に直交する方向を電極組立体１２の幅方向とする（図１参照）。また、本体部１３の底面１３ｂは、正極電極２１の第１縁２１ａの対辺となる第２縁２１ｂ、負極電極２２の第１縁２２ａの対辺となる第２縁２２ｂ、及びセパレータ２３の第１縁の対辺となる第２縁を寄せ集めて形成されている。なお、電極組立体１２において、タブ側端面１３ａと底面１３ｂとを最短距離で繋ぐ直線Ｌの長さを高さＨ１とする。
【００２４】
電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２５】
本体部１３は、タブ側端面１３ａにおける幅方向一端側から突出した正極のタブ２５が積層されたタブ群２７を有し、このタブ群２７は、全ての正極のタブ２５を電極組立体１２における積層方向に寄せ集め、積層して構成されている。また、本体部１３は、タブ側
端面１３ａにおける幅方向他端側から突出した負極のタブ２６が積層されたタブ群２７を有し、このタブ群２７は、全ての負極のタブ２６を積層して構成されている。正極のタブ群２７と負極のタブ群２７は、幅方向に離間してタブ側端面１３ａに配置されている。タブ側端面１３ａにおいて、両方のタブ群２７で挟まれた部位には、圧力開放弁１５ａが対向している。各極のタブ群２７は、積層方向一端側に各タブ２５，２６の先端が位置するように折り曲げられている。
【００２６】
タブ群２７は、タブ側端面１３ａ側となる基端（根本）側に突出部２７ａを備える。突出部２７ａは、タブ側端面１３ａから蓋部材１５に向けて立ち上がる部位である。タブ群２７は、突出部２７ａに繋がる第１曲げ部２７ｂを備える。第１曲げ部２７ｂは各タブ２５，２６が屈曲又は湾曲した部位である。タブ群２７は、第１曲げ部２７ｂに繋がる延出部２７ｃを備える。延出部２７ｃは、電極組立体１２の積層方向へほぼ真っ直ぐに延びる部位である。タブ群２７の第１曲げ部２７ｂは、突出部２７ａと延出部２７ｃを繋ぐ部位である。
【００２７】
タブ群２７は、延出部２７ｃよりも先端側に第２曲げ部２７ｄを備える。第２曲げ部２７ｄはタブ群２７が屈曲又は湾曲した部位である。タブ群２７は、第２曲げ部２７ｄより先端側に折り返し部２７ｅを備える。タブ群２７の第２曲げ部２７ｄは、延出部２７ｃと折り返し部２７ｅを繋ぐ部位である。そして、突出部２７ａと第１曲げ部２７ｂとからタブ群２７の基端部が構成され、第２曲げ部２７ｄと折り返し部２７ｅとからタブ群２７の先端部が構成されている。
【００２８】
図４及び図５に示すように、正極のタブ群２７には、電極組立体１２と、後述の正極端子構造１６とを電気的に接続するための導電部材２８が接合されている。また、負極のタブ群２７には、電極組立体１２と、後述の負極端子構造１７とを電気的に接続するための導電部材２８が接合されている。導電部材２８は、タブ側端面１３ａと蓋部材１５の内面１５ｂとの間に介在する。
【００２９】
正極及び負極の導電部材２８の長手は、蓋部材１５の長手方向へ延びるクランク状であり、各極性の導電部材２８の短手は、電極組立体１２の積層方向へ延びる。正極及び負極の導電部材２８は、それぞれタブ群２７と接合された電極接合部２８ａを長手方向一端側に備える。また、正極及び負極の導電部材２８は、後述の引出端子２９と接続される平板状の端子接続部２８ｂを長手方向他端側に備えるとともに、電極接合部２８ａと端子接続部２８ｂを繋ぐ連繋部２８ｃを備える。連繋部２８ｃにより、端子接続部２８ｂは、電極接合部２８ａよりも電極組立体１２寄りに位置している。そして、本体部１３のタブ側端面１３ａと、蓋部材１５の内面１５ｂとの間にタブ群２７及び導電部材２８が介在している。
【００３０】
次に、正極端子構造１６及び負極端子構造１７を説明する。なお、正極端子構造１６と負極端子構造１７は基本的に同じ構成であるため、共通の部材については、同じ部材番号を使用して説明する。
【００３１】
正極端子構造１６及び負極端子構造１７は、それぞれ蓋部材１５に固定された電極端子としての引出端子２９を備える。引出端子２９は、各極において導電部材２８の端子接続部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接続部材３０を備える。正極端子構造１６及び負極端子構造１７は、蓋部材１５の外側で、端子接続部材３０と電気的に接続された外部接続端子３１を備える。正極端子構造１６及び負極端子構造１７は、端子接続部材３０及び外部接続端子３１と蓋部材１５とを絶縁する外側絶縁部材３２を蓋部材１５の外
面に備える。
【００３２】
二次電池１０は、タブ群２７の先端部とケース部材１４とを絶縁する絶縁カバー３５を備える。図１及び図２に示すように、樹脂製の絶縁カバー３５は、正極及び負極の導電部材２８に対し装着されている。絶縁カバー３５は、蓋部材１５の長手方向、すなわち電極組立体１２の幅方向へ長手が延びる矩形板状の基板部３６を備える。基板部３６は、積層方向一端側に位置する両極のタブ群２７の先端部を積層方向の外側から覆い、両極のタブ群２７の先端部とケース部材１４とを絶縁する。
【００３３】
絶縁カバー３５は、蓋部材１５の長手方向に延びる基板部３６の一対の長縁部のうち、蓋部材１５寄りの一方の長縁部から積層方向他端に向けて突出した第１板部３７を備える。第１板部３７は、両極の導電部材２８の電極接合部２８ａと蓋部材１５の内面１５ｂとの間に位置し、両者を絶縁する。絶縁カバー３５の第１板部３７は、両方の電極接合部２８ａに支持されている。
【００３４】
絶縁カバー３５は、蓋部材１５の長手方向に延びる基板部３６の一対の長縁部のうち、電極組立体１２寄りの他方の長縁部から積層方向他端に向けて突出した第２板部３８を備える。第２板部３８は、各極性のタブ群２７における折り返し部２７ｅとタブ側端面１３ａとの間に位置し、折り返し部２７ｅを電極組立体１２側から覆う。
【００３５】
図４に示すように、正極端子構造１６及び負極端子構造１７は、ケース１１の内側で引出端子２９及び端子接続部２８ｂと蓋部材１５とを絶縁する内側絶縁部材３３を備える。
【００３６】
図１及び図２に示すように、電極組立体１２の本体部１３及び両極性のタブ群２７は、絶縁フィルム１８によって覆われている。絶縁フィルム１８は、電極組立体１２とケース部材１４とを絶縁する。図２及び図３に示すように、絶縁フィルム１８は、有底四角筒状のフィルム本体部１９を備える。フィルム本体部１９は、電極組立体１２の本体部１３全体を覆う形状である。フィルム本体部１９は、矩形シート状の底壁１９ａと、底壁１９ａの一対の長縁から立設された長側壁１９ｂと、底壁１９ａの一対の短縁から立設された短側壁１９ｃとを備える。底壁１９ａは、電極組立体１２の底面１３ｂとケース部材１４の内底面との間に介在し、一対の長側壁１９ｂは、電極組立体１２の積層方向の両端面と、各端面に対向したケース部材１４の内面との間に介在する。また、一対の短側壁１９ｃは、タブ側端面１３ａ及び底面１３ｂを除く電極組立体１２の積層方向両端面につながる端面と、この端面に対向したケース部材１４の内面との間に介在する。
【００３７】
絶縁フィルム１８は、長側壁１９ｂと短側壁１９ｃとが交わる部位に角部Ｃを備える。絶縁フィルム１８は四つの角部Ｃを備える。なお、フィルム本体部１９において、底壁１９ａの内面と、フィルム本体部１９の開口側の縁部１９ｄとを最短距離で結ぶ直線Ｍの長さを絶縁フィルム１８の高さＨ２とする。絶縁フィルム１８の高さＨ２は、電極組立体１２の高さＨ１より高い。このため、フィルム本体部１９において、蓋部材１５の内面１５ｂに対向する縁部１９ｄは、電極組立体１２のタブ側端面１３ａより蓋部材１５寄りに位置している。
【００３８】
図２又は図４に示すように、絶縁フィルム１８は、フィルム本体部１９における蓋部材１５の内面１５ｂに対向した縁部１９ｄの一部に基端側タブ絶縁部２０１を備える。基端側タブ絶縁部２０１は、タブ群２７におけるタブ側端面１３ａ寄りの基端部とケース部材１４とを絶縁する。基端側タブ絶縁部２０１は、一方の長側壁１９ｂの縁部１９ｄから蓋部材１５に向けて突出している。基端側タブ絶縁部２０１は、タブ側端面１３ａの幅方向の両側に分かれて存在する。基端側タブ絶縁部２０１は、各極性のタブ群２７に対応して一方の長側壁１９ｂの長手方向両端よりも中央側に位置し、絶縁フィルム１８の角部Ｃか
ら離れた位置にある。各基端側タブ絶縁部２０１において、縁部１９ｄからの突出端２０１ａは、蓋部材１５の内面１５ｂに接触しておらず、蓋部材１５の内面１５ｂよりも電極組立体１２寄りに位置している。また、各基端側タブ絶縁部２０１の突出端２０１ａは、導電部材２８における電極接合部２８ａの電極組立体１２寄りの内面よりも蓋部材１５寄りに位置している。本実施形態では、各基端側タブ絶縁部２０１の突出端２０１ａは、電極接合部２８ａの厚み内に位置しており、電極接合部２８ａよりも蓋部材１５側に突出していない。
【００３９】
絶縁フィルム１８は、フィルム本体部１９における蓋部材１５の内面１５ｂに対向する縁部１９ｄの一部に先端側タブ絶縁部２０２を備える。先端側タブ絶縁部２０２は、タブ群２７の先端部側に位置する他方の長側壁１９ｂから蓋部材１５に向けて突出している。先端側タブ絶縁部２０２は、各極性のタブ群２７に対応してタブ側端面１３ａの幅方向の両側に分かれて存在する。先端側タブ絶縁部２０２は、他方の長側壁１９ｂの長手方向両端よりも中央側に位置し、絶縁フィルム１８の角部Ｃから離れた位置にある。各先端側タブ絶縁部２０２において、縁部１９ｄからの突出端２０２ａは、蓋部材１５の内面１５ｂに接触しておらず、蓋部材１５の内面１５ｂよりも電極組立体１２寄りに位置している。また、各先端側タブ絶縁部２０２の突出端２０２ａは、導電部材２８における電極接合部２８ａの電極組立体１２寄りの内面よりも蓋部材１５寄りに位置している。先端側タブ絶縁部２０２は、絶縁カバー３５の基板部３６と、この基板部３６に対向したケース部材１４の内面との間に介在している。先端側タブ絶縁部２０２の突出端２０２ａは、絶縁カバー３５における電極組立体１２寄りの端面より蓋部材１５側で、かつ導電部材２８における電極組立体１２寄りの面より蓋部材１５寄りに位置している。
【００４０】
絶縁フィルム１８は、フィルム本体部１９の縁部１９ｄのうち基端側タブ絶縁部２０１及び先端側タブ絶縁部２０２が突出していない部位に非タブ絶縁部２０３を備える。非タブ絶縁部２０３は、積層方向にタブ群２７と対向しておらず、ケース部材１４とタブ群２７とを絶縁しない部位である。本実施形態では、非タブ絶縁部２０３は、フィルム本体部１９の角部Ｃと、幅方向に隣り合う基端側タブ絶縁部２０１同士の間と、幅方向に隣り合う先端側タブ絶縁部２０２同士の間にある。非タブ絶縁部２０３のうち、フィルム本体部１９の角部Ｃに位置する非タブ絶縁部２０３は、蓋部材１５の角部に対向している。非タブ絶縁部２０３は、電極組立体１２のタブ側端面１３ａより蓋部材１５寄りに位置し、かつ導電部材２８における電極接合部２８ａの電極組立体１２寄りの面よりも電極組立体１２寄りに位置している。
【００４１】
次に、二次電池１０の製造方法を作用とともに記載する。
【００４２】
まず、蓋部材１５に、引出端子２９、端子接続部材３０、外部接続端子３１、外側絶縁部材３２、及び内側絶縁部材３３が組付けられる。蓋部材１５と、正極及び負極の電極接合部２８ａとの間に隙間が存在している。そして、正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。
【００４３】
そして、電極組立体１２に向けて絶縁カバー３５をスライド移動させる。蓋部材１５と電極接合部２８ａとの間に第１板部３７を差し込む。電極組立体１２をケース部材１４の開口部１４ａからケース部材１４内に挿入する。電極組立体１２がケース部材１４内に挿入された後、蓋部材１５をケース部材１４の開口端に載せ、蓋部材１５とケース部材１４を溶接により接合する。
【００４４】
このとき、蓋部材１５の二つの縁部が交わる角部において他の縁部よりも熱量が多くなる。絶縁フィルム１８において、蓋部材１５の角部に対応した位置に非タブ絶縁部２０３
が位置している。このため、非タブ絶縁部２０３には、基端側タブ絶縁部２０１及び先端側タブ絶縁部２０２と比べると溶接時の熱影響が及びにくい。
【００４５】
その一方で、各極性のタブ群２７の基端部は基端側タブ絶縁部２０１によりケース部材１４から絶縁され、各極性のタブ群２７の先端部は、絶縁カバー３５及び先端側タブ絶縁部２０２によりケース部材１４から絶縁される。
【００４６】
上記実施形態によれば、以下のような効果を得ることができる。
【００４７】
（１）絶縁フィルム１８において、フィルム本体部１９の縁部１９ｄから基端側タブ絶縁部２０１及び先端側タブ絶縁部２０２を突出させる一方で、蓋部材１５の角部に対向する位置に非タブ絶縁部２０３を設けた。そして、非タブ絶縁部２０３を基端側タブ絶縁部２０１及び先端側タブ絶縁部２０２の突出端２０１ａ，２０２ａより電極組立体１２寄りに位置させ、蓋部材１５から遠ざけた。このため、ケース部材１４と蓋部材１５の溶接時、蓋部材１５の角部に対向した非タブ絶縁部２０３に及ぶ熱影響を抑えることができる。その一方で、フィルム本体部１９の縁部１９ｄから突出させた基端側タブ絶縁部２０１及び先端側タブ絶縁部２０２により、タブ群２７とケース部材１４とを絶縁できる。
【００４８】
（２）非タブ絶縁部２０３は、フィルム本体部１９の縁部１９ｄ上に位置し、基端側タブ絶縁部２０１及び先端側タブ絶縁部２０２のように縁部１９ｄから突出していない。このため、例えば、非タブ絶縁部２０３を、フィルム本体部１９の縁部１９ｄから蓋部材１５に向けて突出させた場合と比べると、溶接時に非タブ絶縁部２０３に及ぶ熱影響をより小さくできる。
【００４９】
（３）非タブ絶縁部２０３は、タブ側端面１３ａの幅方向に離れた基端側タブ絶縁部２０１同士の間、及び先端側タブ絶縁部２０２同士の間にも存在する。蓋部材１５には、タブ側端面１３ａにおける両極性のタブ群２７に挟まれた位置に対向して圧力開放弁１５ａが設けられている。蓋部材１５における圧力開放弁１５ａが設けられた部位には、熱引き治具が配置できないため、溶接時の熱が逃げにくく、温度が上昇しやすい。この溶接時の熱が逃げにくい部位、すなわち両極性のタブ群２７に挟まれた部位に対向して、非タブ絶縁部２０３を対向させているため、溶接時に絶縁フィルム１８に及ぶ熱影響を抑え、絶縁フィルム１８の溶融を抑制できる。
【００５０】
（４）二次電池１０は、両極性のタブ群２７を先端部側から覆う絶縁カバー３５を備える。また、絶縁フィルム１８は、各タブ群２７の先端部を覆う先端側タブ絶縁部２０２を備える。この先端側タブ絶縁部２０２と絶縁カバー３５の両方により、タブ群２７の先端部側とケース部材１４とを絶縁できる。特に、タブ群２７の先端部側には、折り返し部２７ｅがあり、第２曲げ部２７ｄが折り曲げ前の形状に戻ろうとする復帰力により折り返し部２７ｅがケース部材１４側に変形しやすいが、絶縁カバー３５及び先端側タブ絶縁部２０２を設けることでケース部材１４から絶縁できる。
【００５１】
（５）先端側タブ絶縁部２０２を、絶縁カバー３５の基板部３６とケース部材１４との間に介在させ、先端側タブ絶縁部２０２の突出端２０２ａを、絶縁カバー３５における電極組立体１２寄りの端面より蓋部材１５側で、かつ電極接合部２８ａにおける電極組立体１２寄りの面より蓋部材１５寄りに配置した。このため、絶縁カバー３５と先端側タブ絶縁部２０２とで、タブ群２７とケース部材１４とを絶縁できる。
【００５２】
なお、上記実施形態は以下のように変更してもよい。
【００５３】
○  図５に示すように、正極端子構造１６及び負極端子構造１７は、実施形態に限らな
い。例えば、正極端子構造１６及び負極端子構造１７は、導電部材２８と、端子接続部２８ｂに接合された電極端子３９と、電極端子３９を蓋部材１５に固定するナット４０と、ケース１１内で電極端子３９と蓋部材１５を絶縁する絶縁部材４１とで構成されていてもよい。
【００５４】
○  図５に示すように、隣り合う基端側タブ絶縁部２０１同士及び先端側タブ絶縁部２０２同士の間の非タブ絶縁部２０３はなくてもよい。この場合、タブ絶縁部は、一対のタブ群２７の両方を覆うように各長側壁１９ｂの長手方向（電極組立体１２の幅方向）に連続して延びる帯状であってもよい。
【００５５】
○  図６に示すように、非タブ絶縁部２０３は、実施形態におけるフィルム本体部１９の縁部１９ｄよりも蓋部材１５側に延長して形成されていてもよい。この場合、非タブ絶縁部２０３を延長した端の位置は、電極組立体１２のタブ側端面１３ａよりも蓋部材１５寄りに位置し、かつ基端側タブ絶縁部２０１及び先端側タブ絶縁部２０２の突出端２０１ａ，２０２ａより電極組立体１２寄りに位置している。なお、フィルム本体部１９の長側壁１９ｂの長手方向に隣り合う基端側タブ絶縁部２０１同士の間及び先端側タブ絶縁部２０２同士の間の非タブ絶縁部２０３も実施形態におけるフィルム本体部１９の縁部１９ｄから蓋部材１５側に延長して形成されていてもよい。
【００５６】
○  絶縁カバー３５はなくてもよい。
【００５７】
○  正極電極２１及び負極電極２２は、金属箔の片面に活物質層が存在する構造でもよい。
【００５８】
○  蓄電装置は、例えばキャパシタなど、二次電池以外の蓄電装置にも適用可能である。
【００５９】
○  二次電池１０は、リチウムイオン二次電池以外の他の二次電池であってもよい。要は、正極用の活物質と負極用の活物質との間をイオンが移動するとともに電荷の享受を行うものであればよい。
【符号の説明】
【００６０】
Ｙ…溶接部、１０…蓄電装置としての二次電池、１１…ケース、１２…電極組立体、１３…本体部、１３ａ…タブ側端面、１４…ケース部材、１４ａ…開口部、１５…蓋部材、１５ｂ…内面、１８…絶縁フィルム、１９…フィルム本体部、１９ｄ…縁部、２１…正極電極、２２…負極電極、２５，２６…タブ、２７…タブ群、２８…導電部材、３５…絶縁カバー、２０１…基端側タブ絶縁部、２０２…先端側タブ絶縁部、２０１ａ，２０２ａ…突出端、２０３…非タブ絶縁部。
【図１】
2019121433.tif 000003
【図２】
2019121433.tif 000004
【図３】
2019121433.tif 000005
【図４】
2019121433.tif 000006
【図５】
2019121433.tif 000007
【図６】
2019121433.tif 000008